Podtech/llm-jp-corpus-v4-ja_patent huggingface dataset:
(57)【要約】      （修正有）【課題】石鹸をこすりやすく、細かい泡を作りやすい泡立て洗浄用具を提供する。【解決手段】板状体の表面に複数の穴をあけ、柔軟な合成樹脂で形成した網を、穴を通して板状体の片面から別の面に通し、さらに別の穴を通して、元の面に通して、板状体の表面に固定する。【選択図】図３
0003165498.tif 000002
【実用新案登録請求の範囲】
【請求項１】
柔軟な合成樹脂で形成した網を、複数の穴をあけた板状体に通し、パイル状に固定した泡立て洗浄用具
【考案の詳細な説明】
【技術分野】
【０００１】本考案は顔および体の皮膚の洗浄用具に使用する用具に関する。
【背景技術】
【０００２】従来の泡立て洗浄用具は、合成樹脂の網のみで、できているものがある。
【考案の開示】
【考案が解決しようとする課題】
【０００３】従来の合成樹脂の網のみでできている泡立て洗浄用具は網が柔らかく、石鹸をこすりつけるのが容易ではない。
【課題を解決するための手段】
【０００４】〔図３〕本考案の柔軟な合成樹脂で形成した網を、複数の穴をあけた板状体に通し、パイル状に固定した泡立て洗浄用具を提供する。
【考案の効果】
【０００５】〔図３〕の本考案は従来の網だけのものと違い、網状部がパイル状に突出しているのと、そのパイルを板に固定する事により、石鹸がよりこすりやすく、容易にきめ細かい泡を作り出す事ができる。
【実施例】
【０００６】〔図３〕のように板状体により、網状部がパイル状に突出している事により、容易に石鹸がこすりやすく、細かい泡が作りやすい。
【産業上の利用可能性】
【０００７】本考案〔図３〕により、石鹸で容易に、手早く細かい泡がつくり出せ、洗顔・洗体をより容易にすることができる。
【図面の簡単な説明】
【０００８】
【図１】板状体に複数の穴をあけたもの
【図２】柔軟な合成樹脂の網を筒状にしたもの
【図３】板状体に合成樹脂の網をパイル状に取り付けた本考案品
【図１】
0003165498.tif 000003
【図２】
0003165498.tif 000004
【図３】
0003165498.tif 000005
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
板状体の表面に複数の穴をあけ、柔軟な合成樹脂で形成した網を、穴を通して板状体の片面から別の面に通し、さらに別の穴を通して、元の面に通して、板状体の表面に固定した泡立て洗浄用具
(57)【要約】【課題】容器本体および遺骨の収容部の形成材質にかかわらず、これらを一体化することができる遺骨収容容器の提供を目的とする。【解決手段】本考案の遺骨収容容器は、遺骨を収容する収容部２０と、内部が中空で、底板１１に収容部２０を下方から挿入可能な開口部１２が形成されている容器本体１０とを備える。収容部２０の周壁下端部に横方向に突出する突出部２２，２２が設けられているとともに、開口部１２に突出部２２，２２が嵌入する切欠き１３，１３が設けられている。【選択図】図１
0003165407.tif 000002
【実用新案登録請求の範囲】
【請求項１】
遺骨を収容する収容部と、
内部が中空で、底板に前記収容部を下方から挿入可能な開口部が形成されている容器本体とを備え、
前記収容部の周壁下端部に横方向に突出する突出部が設けられているとともに、前記開口部に前記突出部が嵌入する切欠きが設けられている、遺骨収容容器。
【請求項２】
前記収容部の底板には横方向に連続して設けられる延出部が設けられている、請求項１に記載の遺骨収容容器。
【請求項３】
前記収容部の上面を覆う蓋部をさらに備える、請求項１または２に記載の遺骨収容容器。
【考案の詳細な説明】
【技術分野】
【０００１】
本考案は、遺骨の一部を収め、身近に安置して供養する遺骨収容容器に関する。
【背景技術】
【０００２】
近年、亡くなった人やペットの遺骨の一部を自宅にて供養する手元供養が注目されている。そこで、遺骨の一部を収めて身近に安置するためのオーナメントが提案されている（例えば、特許文献１参照）。
【先行技術文献】
【特許文献】
【０００３】
【特許文献１】実用新案登録第３０３４７５３号公報
【考案の概要】
【考案が解決しようとする課題】
【０００４】
上記で提案されているオーナメントには、遺骨を収容する容器主体を着脱自在に設けられている。オーナメント本体への容器主体の固定には、接着剤やボルトが用いられている。しかし、オーナメント本体および容器主体を形成する材質によっては、ボルトやナットを設けるのが困難である、接着剤では十分に固定できない等の問題がある。
【０００５】
本考案は、かかる事情に鑑みてなされたものであり、容器本体および遺骨の収容部の形成材質にかかわらず、これらを一体化することができる遺骨収容容器の提供を目的とする。
【課題を解決するための手段】
【０００６】
上記の課題を解決するため、本考案の遺骨収容容器は、遺骨を収容する収容部と、内部が中空で、底板に前記収容部を下方から挿入可能な開口部が形成されている容器本体とを備え、前記収容部の周壁下端部に横方向に突出する突出部が設けられているとともに、前記開口部に前記突出部が嵌入する切欠きが設けられている。
好ましい実施形態においては、前記収容部の底板には横方向に連続して設けられる延出部が設けられている。
好ましい実施形態においては、前記収容部の上面を覆う蓋部をさらに備える。
【考案の効果】
【０００７】
本考案によれば、容器本体および収容部の形成材料にかかわらず、これらを一体化することができる。その上、収容部を簡単に着脱することができる。
【図面の簡単な説明】
【０００８】
【図１】本考案の遺骨収容容器の一実施例を示す下方から見た斜視図である。
【図２】図１の遺骨収容容器の縦断面図である。
【考案を実施するための形態】
【０００９】
以下、本考案の遺骨収容容器について、図面を参照しながら説明するが、本考案はこれらの実施例に記載されたもののみに限定されるものではない。
【００１０】
図１および図２は本考案の遺骨収容容器の一実施例を示す図であり、図１は、容器本体から収容部が取り外された状態を下方から見た斜視図であり、図２は、容器本体と収容部とが一体化された状態の縦断面図である。
【００１１】
遺骨を収容する収容部２０は、上方に開口する有底円筒状の容器であり、金属で形成されている。収容部２０の周壁２１の下端部には横方向に突出する突出部２２，２２が設けられている。図２に示すように、この突出部２２，２２は、収容部２０を構成する円筒状の容器の下端部に棒状部材２３を横方向に貫通させることにより設けられている。収容部２０の底板２４は、収容部２０が容器本体１０内に一体化された状態で、遺骨収容容器１００の底部を構成する。底板２４には拡径するように延出部２５が連続して設けられている。図２に示すように、収容部２０は、その延出部２５と突出部２２とで容器本体１０の底板１１を挟持させることにより、容器本体１０に固定されている。
【００１２】
遺骨は予め布等で形成された袋に収めて、収容部２０に収められる。本実施例では、収容部２０の上面を覆う金属製の蓋部２６が着脱可能に取り付けられている。蓋部２６には
下方に膨出する膨出部２７が一体形成されており、蓋部２６を取り付けた際には、収容部２０内に膨出部２７がはまり込むことになる。
【００１３】
一方、容器本体１０は、内部が中空で、お地蔵さん等の仏像、神像等の形象体とされており、粘土を焼成させて形成されている。容器本体１０の底板１１の中央付近には、収容部２０を下方から挿入可能な略円形状の開口部１２が形成されている。開口部１２には収容部２０の突出部２２，２２に対応させて、径方向に対向した位置に切欠き１３，１３が設けられている。これにより、図１に示すように、切欠き１３，１３に収容部２０の突出部２２，２２を嵌入するように収容部２０を挿入し、収容部２０を回転させることで突出部２２を底板１１上面に当接させて容器本体１０と一体化させる。
【００１４】
本考案の遺骨収容容器１００は、上記実施例の構成に限らず、適宜変更可能である。例えば、上記実施例では、収容部２０を円筒状としたが、これは円筒状に限らず、例えば、角筒状としてもよい。同様に、容器本体１０等の形状も適宜変更可能なことはいうまでもない。
【産業上の利用可能性】
【００１５】
本考案の遺骨収容容器は、その形成材料が限定されないので、個々の好みに対応させたオーナメントとしても利用され得る。
【符号の説明】
【００１６】
１０  容器本体
１１  底板
１２  開口部
１３  切欠き
２０  収容部
２２  突出部
２５  延出部
２６  蓋部
１００  遺骨収容容器
【図１】
0003165407.tif 000003
【図２】
0003165407.tif 000004
(57)【要約】【課題】発光体の交換頻度を減少させると共に、仏壇内に吊り灯篭を配設する際の結線作業を不要ならしめ、更に発光体を極めて容易に点滅することができるようにした仏壇の吊り灯篭を提供する。【解決手段】ケース１３内に発光体１５を配設してなる仏壇の吊り灯篭１１において、該発光体としてＬＥＤを使用し、該ケース内には該ＬＥＤの電源としての電池１９と、該ＬＥＤの点滅を制御するための制御信号を受信することにより該ＬＥＤを点滅動作させる受信部２１とを備えさせ、仏壇の外部から該制御信号を送信するためのリモコンを備えさせたことを特徴とする仏壇の吊り灯篭。【選択図】図２
0003165405.tif 000002
【実用新案登録請求の範囲】
【請求項１】
ケース内に発光体を配設してなる仏壇の吊り灯篭において、
該発光体としてＬＥＤを使用し、該ケース内には該ＬＥＤの電源としての電池と、該ＬＥＤの点滅を制御するための制御信号を受信することにより該ＬＥＤを点滅動作させる受信部とを備えさせ、
仏壇の外部から該制御信号を送信するためのリモコンを備えさせたことを特徴とする仏壇の吊り灯篭。
【考案の詳細な説明】
【技術分野】
【０００１】
本考案は、仏壇の吊り灯篭に関するものである。
【背景技術】
【０００２】
仏壇内には、従来より、図３に示す如く、ケース３内に発光体５を配設してなる吊り灯篭１が左右一対配設されている。すなわち、吊り灯篭は、仏壇内における上部から吊り下げ手段９により吊り下げられ、仏壇内のご本尊、位牌等を照らすものであって、仏壇に好ましい美しさと豪華さと荘厳な雰囲気とを与える。
【０００３】
吊り灯篭は、実公昭６１−１５５３４号公報に示すように、発光体として交流電源を用いたナツメ球等の白熱電球を内設している。
【先行技術文献】
【特許文献】
【０００４】
【特許文献１】実公昭６１−１５５３４号公報
【考案の概要】
【考案が解決しようとする課題】
【０００５】
しかるに、上記従来の吊り灯篭は、発光体として交流電源を用いた白熱電球を内設しているため、下記の如き問題が生じている。
【０００６】
（イ）白熱電球は寿命が短いため、該電球を短期間で新しいものと交換しなければならない。
【０００７】
（ロ）左右一対の吊り灯篭用に交流電源の配線（図３における符号７参照。）を施すに当り、仏壇内において一対の発光体に電力を供給するために結線することが必要である。しかして、このような結線作業は、しばしば専門的な知識を有しない無資格者により行われるため、結線部に緩みを生じ、短絡を引き起こすおそれがある。
【０００８】
このような状況に鑑み、本考案は、発光体の交換頻度を減少させると共に、仏壇内に吊り灯篭を配設する際の結線作業を不要ならしめ、更に発光体を極めて容易に点滅することができるようにした仏壇の吊り灯篭を提供しようとしてなされたものである。  
【課題を解決するための手段】
【０００９】
上記課題を解決するために、本考案は、下記の如き仏壇の吊り灯篭を提供する。
【００１０】
ケース内に発光体を配設してなる仏壇の吊り灯篭において、
該発光体としてＬＥＤを使用し、該ケース内には該ＬＥＤの電源としての電池と、該ＬＥＤの点滅を制御するための制御信号を受信することにより該ＬＥＤを点滅動作させる受信部とを備えさせ、
仏壇の外部から該制御信号を送信するためのリモコンを備えさせたことを特徴とする仏壇の吊り灯篭（請求項１）。
【考案の効果】
【００１１】
吊り灯篭のケース内に配設される発光体としてＬＥＤを使用しているが、ＬＥＤは寿命が長いため、発光体の交換頻度は著しく減少する。
【００１２】
各吊り灯篭は、それぞれのケース内にＬＥＤの電源として電池を備えているため、左右一対の吊り灯篭を配設する際に結線作業を行う必要がない。したがって、結線部に緩みを生じ、短絡を引き起こすという問題は全く生じない。
【００１３】
各吊り灯篭のＬＥＤは、リモコンにより点滅を制御することができるため、ＬＥＤの点滅操作は極めて容易である。
【図面の簡単な説明】
【００１４】
【図１】図１は、本考案による吊り灯篭の一例を仏壇内に配設した状態を示す正面図である。
【図２】図２は、同上吊り灯篭を概略的に示す正面図である。
【図３】図３は、従来の吊り灯篭を概略的に示す正面図である。
【考案を実施するための形態】
【００１５】
符号１１に示すものは吊り灯篭である。吊り灯篭１１は、通常、仏壇１２内に左右一対配設される。図１参照。
【００１６】
吊り灯篭１１は、前記従来の吊り灯篭１と同様に、ケース１３内に発光体１５を配設してなるものである。
【００１７】
ケース１３は、種々の意匠を備え、種々の材料により形成されている。ケース１３は、一例として、真鍮により雲透かし状に形成されている。符号１７に示すものは、ケース１３を仏壇１２の上部から吊り下げるための紐状ないし棒状の吊り下げ手段である。
【００１８】
しかして、本考案においては、発光体１５としてＬＥＤ（発光ダイオード）を使用する。
【００１９】
ケース１３内には該ＬＥＤ１５の電源としての電池１９と、該ＬＥＤ１５の点滅を制御するための制御信号を受信することにより該ＬＥＤ１５を点滅動作させる受信部２１とを備えさせる。
【００２０】
電池１９は、一例として乾電池とする。ＬＥＤ１５の点滅を制御するための制御信号は、一例として赤外線による信号である。
【００２１】
吊り灯篭１１は、更に、仏壇１２の外部から該制御信号をワイヤレスで送信するためのリモコン（リモートコントロール）２３を備えている。
【符号の説明】
【００２２】
１  吊り灯篭
３  ケース
５  発光体
７  配線
９  吊り下げ手段
１１  吊り灯篭
１２  仏壇
１３  ケース
１５  発光体
１７  吊り下げ手段
１９  電池
２１  受信部
２３  リモコン
【図１】
0003165405.tif 000003
【図２】
0003165405.tif 000004
【図３】
0003165405.tif 000005
(57)【要約】【課題】身体のうち、特に、平生、気がつかない足の指の間に溜まる、汚れを簡単・迅速に清掃する足指用の掃除具を開発・提供するものである。を提供することにある。【解決手段】基部本体（１）を設け、該本体（１）の一方に握持部（１ａ）を設け、該本体（１）の他端には、所定の間隔を開けて適宜の長さを有する清掃棒（２）を４本、突出して設けたことを特徴とする足の指の間を掃除する掃除具から構成されるものである。【選択図】    図１
0003165401.tif 000002
【実用新案登録請求の範囲】
【請求項１】
基部本体（１）を設け、該本体（１）の一方に握持部（１ａ）を設け、該本体（１）の他端には、所定の間隔を開けて適宜の長さを有する清掃棒（２）を４本、突出して設けたことを特徴とする足指用の掃除具。
【考案の詳細な説明】
【技術分野】
【０００１】
この考案は、足指用の掃除具に関するものである。
【背景技術】
【０００２】
従来、人間は、老若男女を問わず、常に健康に過ごせるように気をつけ、病気にならないように配慮して暮らすことが必要である。
【０００３】
特に、身体を常に清潔に保つことにより、余病の発生を未然に防止することができるものである。
【０００４】
そして、従来より身体を健康に保つためには、風邪等の病原菌の感染を防ぐため、手洗いはもちろん、風呂等で全身を洗うことが望ましく、洗う道具としては、乾燥したヘチマであるとか、独立気泡性の合成樹脂であるとか、種々存在した。
【考案の概要】
【考案が解決しようとする課題】
【０００５】
そこでこの考案は、身体のうち、特に、平生、気がつかない足の指の間に溜まる、汚れを簡単・迅速に清掃する足の指の間を掃除する掃除具を開発・提供するものである。
【課題を解決するための手段】
【０００６】
この考案である課題を解決するための手段は、基部本体を設け、該本体の一方に握持部を設け、該本体の他方には、所定の間隔を開けて適宜の長さを有する清掃棒を４本、突出して設けた足指用の掃除具である。
【考案の効果】
【０００７】
この考案によると、４本の清掃棒（２）を設けているため、足の指の間隙部に一度に差し込むことにより、一回で、すべての指の間を掃除できる等の極めて有益なる効果を奏するものである。
【図面の簡単な説明】
【０００８】
【図１】この考案の一実施例を示す斜視図である。
【図２】この考案の他の実施例を示す斜視図である。
【考案を実施するための形態】
【０００９】
この考案は、基部本体を設け、該本体の一方に握持部を設け、該本体の他方には、所定の間隔を開けて適宜の長さを有する清掃棒を４本、突出して設けた足指用の掃除具である。
【実施例】
【００１０】
この考案の一実施例を図１に基づいて説明すると、基部本体（１）を設け、該本体（１）の一方に握持部（１ａ）を設け、該本体（１）の他端には、所定の間隔を開けて適宜の長さを有する清掃棒（２）を４本、突出して設けたことを特徴とする足の指の間を掃除する掃除具から構成されるものである。
【００１１】
そして、図１においては、握持部（１ａ）を棒状のものを示したが、図２に示すように、陸、四角形状の枠体であり、相対向する一方を握持部（１ａ′）とし、相対向する他方を本体（１′）として、該本体に清掃棒（２）を、それぞれ４年設けたものであってもよい。
【００１２】
また、清掃棒（２）は、独立気泡性の発泡樹脂製であってもよく、その素材は、硬すぎると指間を傷めてしまうため、やや硬い程度がよいものである。
【００１３】
この考案の使用に当たっては、足の親指と足の人指し指の間、足の人指し指と足の中指との間、足の中指と足の薬指との間、そして、足の薬指と足の小指との間に、それぞれ、清掃棒（２）を差し込み、該清掃棒（２）を握持部を握り、摺動させることにより各指間のごみや垢を取り除くものである。
【産業上の利用可能性】
【００１４】
この考案によると、足の指の間を掃除する掃除具の技術を確立し、実施・販売することにより産業上の利用可能性がある。
【符号の説明】
【００１５】
１  基部本体
１′基部本体
１ａ  握持部
１ａ′握持部
２  清掃具
【図１】
0003165401.tif 000003
【図２】
0003165401.tif 000004
【手続補正書】
【提出日】平成22年10月27日(2010.10.27)
【手続補正１】
【補正対象書類名】明細書
【補正対象項目名】００１１
【補正方法】変更
【補正の内容】
【００１１】
そして、図１においては、握持部（１ａ）を棒状のものを示したが、図２に示すように、陸、四角形状の枠体であり、相対向する一方を握持部（１ａ′）とし、相対向する他方を本体（１′）として、該本体に清掃棒（２）を、それぞれ４本設けたものであってもよい。
【手続補正２】
【補正対象書類名】明細書
【補正対象項目名】００１５
【補正方法】変更
【補正の内容】
【００１５】
１  基部本体
１′基部本体
１ａ  握持部
１ａ′握持部
２  清掃棒
(57)【要約】      （修正有）【課題】広告を付したマスクにおいて、使用者に対してより効果的に広告を提示できるマスクを提供する。【解決手段】広告付きマスクとして、使用者の口及び鼻腔周辺を覆う形状及び大きさを有するシート体からなるマスク本体１０と、該マスク本体１０の両側に設けられる使用者の耳又は後頭部に係合する紐体からなる固定紐２０と、前記マスク本体１０の裏面に施される広告表示３０とから構成する。【選択図】図１
0003165413.tif 000002
【実用新案登録請求の範囲】
【請求項１】
使用者の口及び鼻腔周辺を覆う形状及び大きさを有するシート体からなるマスク本体と、
マスク本体の両側に設けられる使用者の耳又は後頭部に係合する紐体からなる固定紐と、
前記マスク本体の裏面に施される広告表示と
を有する広告付きマスク。
【考案の詳細な説明】
【技術分野】
【０００１】
本考案は、広告が表示されたマスクに関する。
【背景技術】
【０００２】
近年の花粉症の蔓延や、定期的に発生するインフルエンザの流行などに対して、使い捨てのマスクが広く用いられている。そして、このような使い捨てマスクを無料で配布する代わりに、広告表示をマスクの包装袋などに行うことが考えられる。
下記特許文献には、このような配布用の使い捨てマスクに関して、マスクの包装袋に加えてマスクの表面に広告表示を施すことが示されている。このようにマスクの表面に広告表示を施すことで、マスクの装着時に第三者に対して広告表示を行うことができる。
【先行技術文献】
【特許文献】
【０００３】
【特許文献１】特開２００６−３２０４７５号公報
【考案の概要】
【考案が解決しようとする課題】
【０００４】
確かに、上記特許文献に記載のマスクを、人が多く集まる場所で装着してもらうことができれば広告を見てもらう機会は増えると考えられる。しかしながら、マスクを装着する使用者にとっては、広告が表示されたマスクを人前で装着するのは恥ずかしく、心理的抵抗があり、実際に人が多く集まる場所で装着されることはほとんどないと考えられる。また、このような心理的な抵抗を考慮すると、広告表示は小さなものとならざるを得ない。
一方、無料配布される広告の表示対象を使用者と考えると、マスクの表面に広告を表示する必要はなく、使用者に対してより効果的な広告表示が実現できると考えられる。
本考案は、このような問題に鑑み、広告を付したマスクにおいて、使用者により効果的に広告を提示できるようにすることを課題とする。
【課題を解決するための手段】
【０００５】
上記課題を解決するために本考案は広告付きマスクとして、使用者の口及び鼻腔周辺を覆う形状及び大きさを有するシート体からなるマスク本体と、マスク本体の両側に設けられる使用者の耳又は後頭部に係合する紐体からなる固定紐と、前記マスク本体の裏面に施される広告表示とから構成される。
【考案の効果】
【０００６】
以上のように、本考案はマスク本体の裏面に広告表示をすることで、使用者は広告表示に気を使うことなく、マスクを使用できるので、マスクの使用頻度が上がり、一日〜数日の間、使用者がマスクの着脱を行う度に広告を目にする機会が増えることになる。また、広告が使用時には隠れるので、広告をマスクの広範囲に施しても、使用者にとってあまり気になることがない。
【図面の簡単な説明】
【０００７】
【図１】（ａ）は、実施形態に係る広告付きマスクの表面側からみた斜視図であり、（ｂ）は実施形態に係る広告付きマスクの裏面側からみた斜視図である。
【考案を実施するための形態】
【０００８】
以下、本考案の実施の形態について、図面を参照しながら説明する。
図１（ａ）に本実施形態に係る広告付きマスクＸの表面側から見た斜視図を示し、（ｂ）に。広告付きマスクＸを裏面側から見た斜視図を示す。
広告付きマスクXは、使用者の口及び鼻腔周辺を覆う正面視略長方形状のマスク本体１０と、マスク本体１０の両側の縁部内に通されるリング状のゴム紐からなり使用者の耳に係合する固定紐２０と、マスク本体１０の裏面に印刷により表示される広告表示３０とから構成される。マスク本体１０及び固定紐２０は、従来用いられている一般的なマスクと同じであり、マスク本体１０は正面視楕円形状のもの、楕円形状の両端を直線状にしたもの、立体的に裁断されるものなど種々の形状を採用することができる。固定紐２０は、耳にかけるものの他、後頭部に回して固定するものでもよく、また、マスク本体１０を伸縮性のある素材として、マスク本体１０に一体に形成される幅広の紐体により形成してもよい。
広告表示３０は、ここでは文字のみを表示しているが図形や写真、地図などを表示してもよく、表示範囲も、例えば、口が当たる部分には印刷を避けるなど、適宜変更してよいことはいうまでもない。
【０００９】
このような構成を有する広告付きマスクＸは、使用者が使用する度に、広告を目にすることとなり、また、マスク本体１０の裏面に表示されているので、人が多い場所でも気兼ねなく使用することができ、使用頻度も高くなるという利点を有する。また、広告領域も使用者の心理的抵抗が小さいので、適宜広くとることも可能である。
従って、本実施形態に係る広告付きマスクは、無料で配布する広告用のマスクとして袋やマスクの表面に広告を表記することに比較して、使用者に対してより高い広告効果を得ることができる。
【符号の説明】
【００１０】
Ｘ  広告付きマスク
１０  マスク本体
２０  固定紐
３０  広告表示
【図１】
0003165413.tif 000003
(57)【要約】      （修正有）【課題】物品を一定重量だけ箱詰めする作業が簡易になる様に、箱詰する物品の量を適宜増減し易くした量りを提供する。【解決手段】量り皿の片方に皿と垂直方向にプレートを付け、量りの皿を２０度に傾け、かつ、皿の片方にツバをつけて箱がずれ落ちることがない様に量りを構成する。【選択図】図１
0003165483.tif 000002
【実用新案登録請求の範囲】
【考案の詳細な説明】
【技術分野】本考案は、計り詰め作業を  楽にすることを目的に発案です
【符号の説明】１      本体
２      皿
３      プレート（鉄）
４      プレート（鉄）
５      プレート（鉄）
６      プレート（鉄）
７      プレート（鉄）
８      プレート（鉄）
９      ネジ
１０    ネジ
１１    ピン
１２    ピン
１３    ピン
１４    コード
１５    デジタル表示  機器
１６    電池
【図１】
0003165483.tif 000003
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
計りの皿を２０度にかたむけることができ、ピン一本で皿を水平にもできるとくちょうがある、計りです
【手続補正２】
【補正対象書類名】明細書
【補正対象項目名】全文
【補正方法】変更
【補正の内容】
【考案の詳細な説明】
【技術分野】本考案は、計り詰め作業を楽にする事を目的にした発案です。
設定された  重量になると  音が鳴るようにする。
【図面の簡単な説明】
【図１】平面図
【符号の説明】１      本体                          １１    ピン
２      皿                            １２    ピン
３      プレート（鉄）                １３    ピン
４      プレート（鉄）                １４    コード
５      プレート（鉄）                １５    デジタル表示機器
６      プレート（鉄）                １６    電池
７      プレート（鉄）
８      プレート（鉄）
９      ネジ
１０    ネジ
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
量りの皿の片方に皿と垂直方向にプレートを付け量りの皿を２０度に傾けることができる量り。
【手続補正２】
【補正対象書類名】明細書
【補正対象項目名】全文
【補正方法】変更
【補正の内容】
【考案の詳細な説明】
【技術分野】  本考案は、量り詰め作業を楽にする事を目的にした発案です。
設定された  重量が足りない場合には  足りない重量を指示できるか？
設定された  重量が足りない場合には  光を２〜３回点灯する様にした
【考案の効果】
計りの角度を変えると皿が傾き箱が落ちるので皿の片方にツバをつけてずれ落ちないようにしました。
【図面の簡単な説明】
【図１】展開図  １０、５、４、６、を止め  皿を水平にして  ５、６、を１１、でつなぐ  １２、５、４、６、にピンの穴を明ける  １３、角度をつけるためのピン  ５、６、につなぐ  ５、６、を使って穴を明ける  ４、に穴が二つあいたことになります  ８、７、をシャフトでつなぐ  ネジの追加  皿  ２、５、を２本のネジで止める  皿  ２、６、を２本のネジで止める  皿  ２、８、を２本のネジで止める
【符号の説明】１      本体                            １１      ネジ
２      皿                              １２      ピン
３      プレート  （鉄）                １３      ネジ
４      プレート  （鉄）                １４      コード
５      プレート  （鉄）                １５      デジタル表示機器
６      プレート  （鉄）                １６      電池
７      プレート  （鉄）                １７      ネジ
８      プレート  （鉄）                １８      ネジ
９      シャフト                        １９      ネジ
１０    シャフト                        ２０      ネジ
２１      ネジ
２２      ネジ
(57)【要約】      （修正有）【課題】靴の中の通気性を向上させ、湿度を出来るだけ減少させる快適な靴を提供する。【解決手段】内靴底１と外靴底４からなる二重構造通気靴において、内靴底１は足の非接地面に穴加工を有し、内靴底１と外靴底４の間にスプリング５を設けてなる。【選択図】図１
0003165488.tif 000002
【実用新案登録請求の範囲】
【請求項１】
足裏の非接地面に特殊穴加工を有した内靴底にスプリングで隙間を設け、外靴底を組み合わせた二重構造を備え、前記外靴底に蛇腹帯付金具を有した二重構造通気靴。
【考案の詳細な説明】
【技術分野】
【０００１】  本考案は、通気性の良い靴に関する。
【背景技術】
【０００２】  現在も尚、快適な通気性の良い靴の改良がなされている。
【考案の開示】
【考案が解決しようとする課題】
【０００３】  しかしながら、まだ靴内の通気性には湿度が高いなどの問題が残されている。
【課題を解決するための手段】
【０００４】  そこで、靴の構造を二重にして空気室の増減を利用し靴内部の熱と蒸れを無くし、上記課題を解決するものである。
【考案を実施するための形態】
【０００５】  図１に示すように、靴の底が二重になる構造で、外靴底（４）との間に、スプリング（５）を用いて空気室の増減が出来るようにし、内靴底（１）と組み込ませたものであり、内靴底（１）は図７を接着したものである。
図４の蛇腹帯上部を接着面（７）に接着し、蛇腹帯付金具図５を主靴図３の上部より取り付け蛇腹帯付金具図５上面と蛇腹帯図４下部を接着し、取り付けた蛇腹帯付金具図５に外靴底図６を取り付けＬ部（８）に二次加工を施す。靴外部は内部空気の循環機能を高めるため防水とする。
【０００６】  内靴底（１）の形状は荷重、通気などを考慮し足裏の非接地面に特殊穴加工を有した図７の形状にする。蛇腹帯付金具図５には、Ｌ部（８）二次加工時の密着を増す為に穴加工（９）を施す。
本考案図１〜図６までの上面図外形は寸法以外、図７の外形状と同一である。
【０００７】  軟プラスチックで出来ている内靴底は、歩行の際金具蛇腹帯１２を設けたことにより、外靴底と共に曲がる構造となおり、二重構造の空気室全体が空気循環ポンプの役目をしている為、歩行時に発生する隙間の増減により靴と足の間より通気を行うことが出来る構造となっている。
【考案の効果】
【０００８】  本考案により制作された靴は、足の重さにより空間の増減が起き空気室内の７０％以上が換気され靴内の通気が良くなり足の悩みを持った方にとっては、快適な改善の一つになると思われる。
【図面の簡単な説明】
【０００９】
【図１】本考案の側部断面図
【図２】本考案の正面断面図
【図３】本考案の主靴図面
【図４】本考案の蛇腹帯図面
【図５】本考案の蛇腹帯付金具図面
【図６】本考案の外靴底図面
【図７】本考案の内靴底１の詳細図
【符号の説明】
【００１０】１・・・内靴底
２・・・蛇腹帯
３・・・蛇腹帯付金具
４・・・外靴底
５・・・スプリング
６・・・スプリングガイド
７・・・接着部
８・・・Ｌ部
９・・・穴加工
１０・・・通気穴加工
１１・・・くり抜き穴加工
１２・・・金具蛇腹帯
【図１】
0003165488.tif 000003
【図２】
0003165488.tif 000004
【図３】
0003165488.tif 000005
【図４】
0003165488.tif 000006
【図５】
0003165488.tif 000007
【図６】
0003165488.tif 000008
【図７】
0003165488.tif 000009
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
内靴底（１）と外靴底（４）からなる二重構造通気靴において前記内靴底（１）は足の非接地面に異形のくり抜き穴加工を有し、前記内靴底（１）と外靴底（４）の間にスプリング（５）を設け、足裏の屈折部に蛇腹帯付金具（１２）を設けてなる二重構造通気靴。
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
内靴底（１）と外靴底（４）からなる二重構造通気靴において前記内靴底（１）は足の非接地面に穴加工を有し、前記内靴底（１）と外靴底（４）の間にスプリング（５）を設けてなる二重構造通気靴。
(57)【要約】      （修正有）【課題】食器置きに包丁を置くと食器を取る時危険もなく、又、セトモノに当たって刃先が丸くなることもなく、布巾で水をふきとることもない流しシンク内水切兼用置き具を提供する。【解決手段】断面が包丁刃の幅×厚みの長方形であり、包丁刃の長さを有する本体１の上部に取付用二の字の支持足を流しシンク縁にのる長さに取付、左右の支持足の中央に穴を設けて本体を形成する。カナ文字のコの字からなる丸棒の両先端をクランクに左右に曲げ、その先端を支持足の中央の穴に差し込む一体加工した支持具２と、吸盤上部の穴に支持具コの字背面部分を挿入、流しシンク縁に吸盤３にて固定する。上記の構成により、本体上部より包丁の刃を垂直に挿し込むことができるようになる。【選択図】図２
0003165487.tif 000002
【実用新案登録請求の範囲】
【請求項１】
本考案は日本刀のサヤをイメイジした、包丁の刃の長さにした（サヤ）包丁挿し具を市販の吸盤と支持具で一体に組み、吸盤をシンク縁の上部平坦に吸着固定させた。流しシンク内包丁水切兼用置き具。
【考案の詳細な説明】
【技術分野】
【０００１】包丁の水切り、と、挿し出しを容易にした。
【背景技術】
【０００２】従来の流しシンク内包丁水切兼用置き具は見当たらなかった。
【考案の概要】
【考案が解決しようとする課題】
【０００３】包丁を使用後は水を切るために、食器水切棚に置くと、包丁の刃先がセトモノに当たって刃先が丸くなって切れが悪くなる、又、食器を取る時危険でもある。
尚、包丁使用後布巾で水を拭いてから、流し台扉の包丁挿しに挿し込むか、引き出しの包丁入れに入れていたので面倒である。
【課題を解決するための手段】
【０００４】本考案は、常に使用する包丁を危険と、水拭きをなくし、流し台扉開け閉めて包丁を挿し出しの面倒を解決した、流しシンク内水切兼用置き具。
【考案の効果】
【０００５】食器置きに包丁を置くと食器を取る時危険もなく、又、セトモノに当たって刃先が丸くなることもなく、布巾で水をふきとることもない。
流しシンク内水切兼用置き具。
【図面の簡単な説明】
【０００６】
【図１】本考案の立面図
【図２】本考案の側面図
【図３】本考案の平面図
【図４】本考案の立面裏側図
【図５】本考案の本体のＡ−Ａの断面図
【図６】包丁挿し事例図
【図７】流しシンク内取り付け事例図
【考案を実施するための形態】
【０００７】以下、本考案の実施の形態について説明する。
（イ）流しシンク内に本体１を入れシンクの縁上部の平坦に吸盤３にて固定し支持具２にてにて本体１を支持する。
【符号の説明】
【０００８】１  包丁水切り兼用包丁挿し本体
２  本体支持具
３  本体及び支持具固定用吸盤
４  包丁刃
５  包丁取っ手
【図１】
0003165487.tif 000003
【図２】
0003165487.tif 000004
【図３】
0003165487.tif 000005
【図４】
0003165487.tif 000006
【図５】
0003165487.tif 000007
【図６】
0003165487.tif 000008
【図７】
0003165487.tif 000009
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
流しシンク内包丁水切兼用置き具において、
（１）  包丁刃の巾×厚みの長方形を刃の長さにした、上部本体取付用二の字の支持足を        流しシンク縁にのる長さに取付、左右中央に穴を開けた本体と、
（２）  丸棒をカナ文字のコの字の両先端をクランクに左右に曲げその先端を支持足中央        の穴に差し込む一体加工した支持具と、
（３）  吸盤上部の穴に支持具コの字背面部分を挿入、流しシンク縁に吸盤にて固定する        ことで、本体上部より包丁の刃を垂直に挿し込む、
を有する、流しシンク内包丁水切兼用置き具。
【手続補正書】
【提出日】平成22年9月17日(2010.9.17)
【手続補正１】
【補正対象書類名】実用新案登録請求の範囲
【補正対象項目名】全文
【補正方法】変更
【補正の内容】
【実用新案登録請求の範囲】
【請求項１】
「流しシンク内包丁水切兼用置き具において、
（１）  断面が包丁刃の幅×厚みの長方形であり、包丁刃の長さを有する本体と、本体上部に取付用二の字の支持足を流しシンク縁にのる長さに取付、左右の支持足の中央に穴を設けた本体と、
（２）  カナ文字のコの字からなる丸棒の両先端をクランクに左右に曲げ、その先端を支持足の中央の穴に差し込む一体加工した支持具と、
（３）  吸盤上部の穴に支持具コの字背面部分を挿入、流しシンク縁に吸盤にて固定することで、本体上部より包丁の刃を垂直に挿し込むことができることを特徴とする、
流しシンク内包丁水切兼用置き具。」）」
(57)【要約】      （修正有）【課題】アクセルをブレーキと勘違いし車台床まで踏み付け自動車を爆走させてしまう事故を未然に防ぐ、踏み違い防止装置を提供する。【解決手段】自動車アクセルの踏み違い事故を単１部品とリード線のみの工事工程で低価格を目標にして全車種に普及する事を目的とするものである。事故を確実に防止するため、アクセルペタルの裏部に電流切替え遮断器を設置、アクセルの踏み違いでアクセルペタルを力−ぱい車台床まで踏み付ける力を利用し電流遮断器のセンサーが働き、エンジンと給油ポンプの電源を接断、自動車は無能力化される。又、圧縮と排気機能は存続しておりエンジンブレーキとなって確実に安全に停止する。又同時点でブレーキランプが点灯し、後続車その他に注意を促す。【選択図】図１
0003165486.tif 000002
【実用新案登録請求の範囲】
【請求項１】
アクセル踏み違い事故の急増とその悲惨さは、重大な社会問題であるそこで当考案は切り替え型電流遮断器１とリード線のみの低価格の防止装置を提供する即ち。自動車のアクセルペタルの裏面に切り替え型電流遮断器を設置アクセルの踏み違えたの時の力で遮断機のセンサーが床に接触、エンジン及び給油ポンプの電源を切断、エンジンは無能力化する、この時点で圧縮、排気の動作はタイヤと連結しておりエンジンブレーキとなって自動車は安全確実に停止する又この時点でブレーキランプが点灯、後続車その他に注意を促す。アクセル踏み違い防止装置。
【考案の詳細な説明】
【技術分野】
【０００１】本考案はアクセルをブレーキと勘違いし車台床まで踏み付け自動車を暴走させて、しまう事故を未然に防ぐ、踏み違い防止装置に関するものである。
【背景技術】
【０００２】従来のアクセル踏み違い防止装置としては、たとえば、下記の特許文献１と特許文献２の先行技術もあるが複雑な部品工程と作業行程で、どうしても経済的な負担が大きくなり普及に至っていない。
【先行技術文献】
【特許文献】
【０００３】
【特許文献１】特開  ２００３−１４６１０６
【非特許文献】
【０００４】
【非特許文献１】
【特許文献２】特開９−１６４９２７
【考案の概要】
【考案が解決しようとする課題】
【０００５】アクセル踏み違い事故、悪魔の囁きとも言われる恐ろしい事故である。しかし何時起るか、又一生遭遇しないかも知れないこの事故の特異性と、先行技術文献１と２の複雑な部品構成と複雑な作業工程では経済的負担が大きく割高感と相まって大きく普及を妨げている。
【課題を解決するための手段】
【０００６】本考案は上記の目的を達成するため実用新案登録の範囲に記載した，下記の種々の手段をとっている。先ず部品は最小単位の１とリード線のみとし低価格の防止装置を提供する。アクセルペタル１の裏面部に電流切り替え遮断器２をせンサーを床側に向け設置する。リード線２を配線、踏み違いの時のアクセルペタルは、１〜２秒で車台床に到達する、この時点でセンサーは床に接触エンジン部と給油ポンプの電源を切断自動車は停止する又圧縮排気の動作はタイヤに接続しておりこれがエンジンブレーキとなって安全確実に停止又同時にブレーキランプ８が点灯、後続車その他に警戒を呼び掛ける。
【考案の効果】
【０００７】上述の様に本考案は悪魔の囁きとも言われる不幸な出来事アクセル踏み違い事故、又、あわてた時の追突重大事故のー部は踏み違いによるものと言われている。もしこ防止装置が普及すれば踏み違い事故は根絶し膨大な修理経費の節約又重大な人身事故は皆無となり不運な人びとが２度と出ないと言う、計り知れない効果がある。
【図面の簡単な説明】
【０００８】
【図１】本考案のアクセル踏み違い防止装置の実施例を示す正面図である。
【図２】アクセル踏み違い防止装置の一部切欠断面図である。
【図３】アクセル踏み違い防止装置の電気配線図である。
【考案を実施するための形態】
【０００９】アクセル踏み違い事故を確実に防止するため、アクセルペタルの裏面にに防水切替型電流遮断器を設置。踏み違えた時アクセルペタルを床まで踏む動作を利用し電流遮断機のセンサーを車台床に接触させる事である。踏み違いから約２秒後にセンサーが床に接触エンジンプラグと給油ポンプの電源が遮断されエンジンは機能を失い停止する。と同時点でエンジンは無能化するが圧縮、排気の機能はタイヤに連結しておりこの瞬間からエンジン  ブレーキとなって安全に確実に停止する。
【実施例】
【００１０】以下．添付図面に従って実施例を説明する。１  アクセルペタル。２  防水切り替え型電流遮断器。車台床とのスペースに設置。踏み違いた時のみセンサーに接触、エンジン及び給油ポンプの電源を切断する。３  接続リード線である。４  バッテリー．５  エンジンキーＢＯＸ。６  エンジン。７  給油ポンプ。８  ブレーキランプ
【産業上の利用可能性】
【００１１】自動車アクセルの踏み違い事故は本人の意思にかかわらず重大な事故又人身事故に発展し、その後の人生に多大な悪影響を与える。又重大追突事故は必ず一部、踏み違い事故が入っているともいわれている。此の踏み違い防止装置を最小単位部品で構成されており保険料的感覚で全車種に設置される可能性がありその時から踏み違い事故は根絶する可能性もある。【００１２】本考案の実施例は上述の如き構成からなるものであるアクセルペタル１の裏面部に電流切り替え遮断器２をセンサー９を下にして設置する。リード線３を所定の位置に結線する。踏み違いた力でセンサー９が押されエンジンプラグ及び給油ポンプの電源を切断又この時点で自動車は停止するがなほ圧縮排気とタイヤは接続しておりエンジンブレーキとなって安全に、又確実に停止する又ブレーキランプが点灯、後続車その他に注意を促す。
【符号の説明】
【００１３】１  アクセルペタル
２  防水型電流遮断器
３  接続リード線
４  自動車バッテリー
５  自動車エンジンキーＢＯＸ
６  エンジンプラグ
７  給油ポンプ
８  ブレーキランプ
９  センサー
【図１】
0003165486.tif 000003
【図２】
0003165486.tif 000004
【図３】
0003165486.tif 000005
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
アクセルペタル１の裏面に、ブレーキペタルとアクセルペタル１とを踏み違えた時に、自動車バッテリー４の電源接続をエンジンプラグ６と給油ポンプ７との接点側からブレーキランプ８の接点側へと切り替える切り替え接点を有する電流切り替え遮断器２を配設し、この接点の切り替え接続を、電流切り替え遮断器２の下方に車台床に向けて配設されブレーキペタルとアクセルペタル１とを踏み違えた時に車台床に接触して押動されるセンサー９にて行わしめるようになし、このセンサー９の押動によりエンジンの回転が停止されるとともにエンジンブレーキが動作されることを特徴とする自動車アクセル踏み違い事故防止装置。
(57)【要約】【課題】  ペットボトルにジャグチ本体を取り付けることにより飲料水を注ぐ際に水量を調整できるためコップから食み出すこともなく又、手洗いに使用する際もジャグチ本体とつないだペットボトルを横又は斜めにすることにより両手が洗えるジャグチ（ペットボトル用ジャグチ）を提供する。【解決手段】  ジャグチ本体（１）と（２）（３）を食品衛生に基づいたプラスチック部材で成形し、本体（１）の上部にペットボトルキャップ用溝（２）とペットボトル用（３）を設けペットボトル内の水量を調整しながら使えることを特徴とする。【選択図】図１
0003165482.tif 000002
【実用新案登録請求の範囲】
【請求項１】
ペットボトル用ジャグチ本体（１）と（２）（３）を食品衛生に基づいたプラスチック部材で成形し本体（１）の上部にペットボトルキャップ用溝（２）とペットボトル用（３）を設けた（ペットボトル用ジャグチ）。
【考案の詳細な説明】
【技術分野】
【０００１】    この発明は、ペットボトルから飲料水を注ぐ際に勢いよく出てくるのを防ぐため又は手洗い用としてのペットボトル用  ジャグチに関するものである。
【背景技術】
【０００２】      従来、ペットボトルから飲料水を注ぐ際、持つ手の角度で水量を調整していた。
【先行技術文献】
【０００３】
【特許文献１】
【非特許文献１】
【考案の概要】
【考案が解決しようとする課題】
【０００４】      ペットボトルから直接飲料水を注ぐと人によっては勢いよく飲料水が出てしまいコップから食み出していた。又手洗い用に空になったペットボトルに水を入れて手を洗うにしてもペットボトルを持つ手が塞がって両手がうまく洗えなかった。
本発明はこれらの問題を解決する為になされたものである。
【課題を解決するための手段】
【０００５】      ペットボトル用ジャグチ本体（１）と（２）（３）を食品衛生に基づいたプラスチック部材で成形し本体（１）の上部にペットボトルキャップ用溝（２）とペットボトル用（３）を設ける。
本発明は以上のような構成よりなる（ペットボトル用ジャグチ）である。
【考案の効果】
【０００６】      ペットボトル用ジャグチを市販のペットボトルに取り付ける事により、飲料水を注ぐ際に水量を調整ができるためコップから食み出す事がなくなる。又空のペットボトルに水を入れて手洗い用に使う際にもペットボトル用ジャグチの着いたペットボトルを横又は斜めにして使うため両手を洗う事もできる。
【図面の簡単な説明】
【０００７】
【図１】本発明の使用方法の仕方を表した斜視図である
【考案を実施するための形態】
【０００８】    ジャグチ本体（１）と（２）（３）を食品衛生に基づいたプラスチック部材で成形し、上部（２）にボトルキャップ（５）をはめるためネジ溝を設け、本体後部（３）にペットボトル（４）を結合するため内ネジ溝を設ける。
ジャグチ本体（１）の後部（３）をペットボトル（４）に結合し、外したボトルキャップ（５）を本体上部（２）に結合し本体上部（２）を右回り左回りすることにより水量を調整する。
【符号の説明】
【０００９】    １・ジャグチ本体  ２・上部ネジ溝部  ３・本体後部
４・ペットボトル  ５・ボトルキャップ
【図１】
0003165482.tif 000003
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
ジャグチ本体（１）とペットボトルのキャップをはめる（２）とペットボトル（４）とを結合する（３）を食品衛生に基づいたプラスチック部材で成形し使用するペットボトル用ジャグチである
【手続補正書】
【提出日】平成22年8月19日(2010.8.19)
【手続補正２】
【補正対象書類名】実用新案登録請求の範囲
【補正対象項目名】請求項１
【補正方法】変更
【補正の内容】
【実用新案登録請求の範囲】
【請求項１】
ジャグチ本体（１）とペットボトルのキャップをはめる本体上部（２）とペットボトル（４）とを結合する本体後部（３）を食品衛生に基づいたプラスチック部材で成形したペットボトル用ジャグチである。
【手続補正書】
【提出日】平成22年10月28日(2010.10.28)
【手続補正２】
【補正対象書類名】実用新案登録請求の範囲
【補正対象項目名】請求項１
【補正方法】変更
【補正の内容】
【請求項１】
「ジャグチ本体（１）と、ペットボトルのキャップをはめる本体上部（２）と、ペットボトル（４）を結合する本体後部（３）とを、食品衛生に基づいたプラスチック部材で形成したペットボトル用ジャグチ。」